(57)【要約】【課題】  長時間露光のシャッタ時間が任意の設定値以下になった場合、通常の1重露光に切り替えることにより昼間でも鮮明に見える画面にする撮影装置を提供すること。【解決手段】  CCD２４、DSP２６、LCD３１、DSP２６の輝度積分値により長時間露光データと短時間露光データを出力する露光データ記憶部２７、長時間露光データと前記短時間露光データとに応じたシャッタースピードをDSP２６に入力するスイッチャー２８、露光データ記憶部２７の出力に接続された長時間露光データと設定値を比較するコンパレータ５１、コンパレータ５１の出力により点灯、消灯する近赤外投光器２２、コンパレータ５１の出力とDSP２６の偶数フィールドと奇数フィールドとの映像信号を順次出力する切替信号とを選択してスイッチャー２８を制御するAND回路５０を設けた。【選択図】        図１
2005295340.tif 000002
【特許請求の範囲】
【請求項１】
近赤外線カメラと、
該近赤外線カメラの出力側に接続され、撮影された被写体のフィールド毎の映像の輝度を積分し、輝度積分値を出力する機能と偶数フィールドと奇数フィールドとの映像信号を順次出力する機能とを備えた信号処理手段と、
該信号処理手段の出力に接続されている液晶表示装置と、
被写体の輝度に対応する最適のシャッタースピードの組合せが複数組記憶されており、前記信号処理手段の輝度積分値により前記最適のシャッタースピードの組合せが選択されて、それに応じた長時間露光データと短時間露光データを出力する露光データ記憶手段と、
該露光データ記憶手段の出力に接続され、前記長時間露光データと前記短時間露光データとに応じたシャッタースピードを前記信号処理手段に入力するスイッチャーと、
該露光データ記憶手段の出力に接続された前記長時間露光データ又は前記短時間露光データ又は前記輝度積分値と設定値を比較するコンパレータと、
該コンパレータの出力により点灯、消灯する近赤外投光器と、
該コンパレータの出力と該信号処理手段の偶数フィールドと奇数フィールドとの映像信号を順次出力する切替信号とを選択して前記スイッチャーを制御する手段と、
を備えた撮影装置。
【請求項２】
請求項１記載の撮影装置において、
前記コンパレータは、
前記設定値と前記長時間露光データを比較し、
設定値の明るさより長時間露光データが長い露光を示す場合には、前記スイッチャー制御手段へONを示すデータを出力し、
設定値の明るさより短時間露光データが短い露光を示す場合には、前記スイッチャー制御手段へOFFを示すデータを出力し、
前記スイッチャー制御手段は、
前記コンパレータからONを示すデータを受け取るとスイッチャーに長いシャッタースピードと短いシャッタースピードを切替させ、
前記コンパレータからOFFを示すデータを受け取るとスイッチャーに短いシャッタースピードのみを出力させる、
ことを特徴とした撮影装置。
【発明の詳細な説明】
【技術分野】
【０００１】
本発明は、昼夜使用できる近赤外線を用いる撮影装置の技術分野に属する。
【背景技術】
【０００２】
従来の撮影装置では、露光データ記憶部に被写体の輝度に対応する最適のシャッタースピードの組合せからなるデータが複数組記憶されており、ＤＳＰの輝度積分値により最適の組みが選択されて、それに応じた長時間露光データと短時間露光データを出力する（例えば、特許文献１参照）。
【特許文献１】特開２００１−３２０６１３（第２−５頁、全図）
【発明の開示】
【発明が解決しようとする課題】
【０００３】
しかしながら、上記従来例装置の夜間については、２重露光することにより赤外線投光器で明るく反射されている被写体もその脇のあまり反射されない被写体も露光できるが、昼間では、全体に白っぽい画面になってしまう。
【０００４】
本発明は、上記問題点に着目してなされたもので、長時間露光のシャッタ時間が任意の設定値以下になった場合、通常の1重露光に切り替えることにより昼間でも鮮明に見える画面にする撮影装置を提供することにある。
【課題を解決するための手段】
【０００５】
上記目的を達成するため、本発明では、近赤外線カメラと、該近赤外線カメラの出力側に接続され、撮影された被写体のフィールド毎の映像の輝度を積分し、輝度積分値を出力する機能と偶数フィールドと奇数フィールドとの映像信号を順次出力する機能とを備えた信号処理手段と、該信号処理手段の出力に接続されている液晶表示装置と、被写体の輝度に対応する最適のシャッタースピードの組合せが複数組記憶されており、前記信号処理手段の輝度積分値により前記最適のシャッタースピードの組合せが選択されて、それに応じた長時間露光データと短時間露光データを出力する露光データ記憶手段と、該露光データ記憶手段の出力に接続され、前記長時間露光データと前記短時間露光データとに応じたシャッタースピードを前記信号処理手段に入力するスイッチャーと、該露光データ記憶手段の出力に接続された前記長時間露光データ又は前記短時間露光データ又は前記輝度積分値と設定値を比較するコンパレータと、該コンパレータの出力により点灯、消灯する近赤外投光器と、該コンパレータの出力と該信号処理手段の偶数フィールドと奇数フィールドとの映像信号を順次出力する切替信号とを選択して前記スイッチャーを制御する手段とを備えた。
【発明の効果】
【０００６】
よって、請求項１記載の発明にあっては、シャッタ時間により２重露光と1重露光を切り替えることにより、夜間のみならず、昼間も鮮明な画像にできる。
【発明を実施するための最良の形態】
【０００７】
以下、本発明の撮影装置を実現する実施の形態を、請求項１に係る発明に対応する実施例１に基づいて説明する。
【実施例１】
【０００８】
まず、構成を説明する。
【０００９】
図１は実施例１の撮影装置のブロック回路図、図２は実施例１の撮影装置の長時間露光データの信号とシャッタースピード、赤外線投光器のタイムチャートである。
【００１０】
実施例１の撮影装置は、図１に示すように撮影カメラ２０と表示部３０を主要な構成とする。
【００１１】
撮影カメラ２０は、近赤外線投光器２２、対物レンズ２３、CCD２４（対物レンズ２３と共に近赤外線カメラに相当する）、S/H回路２５、DSP２６（信号処理手段に相当する）、露光データ記憶部２７（露光データ記憶手段に相当する）、スイッチャー２８、AND回路５０（スイッチャー制御手段に相当する）、コンパレータ５１を主要な構成としている。
【００１２】
近赤外線投光器２２は、コンパレータ５１から「１」を示すデータが送られると、点灯する。
撮影対象に対して近赤外線光を投光する。
【００１３】
対物レンズ２３は、撮影対象の像を所定の倍率で内部に取り込む。
【００１４】
CCD２４は、対物レンズ２３で取り込んだ画像を、多数の素子により電気信号化する。
【００１５】
S/H回路２５は、CCD２４からの出力信号をサンプリングしてデジタル化できるようにする。
【００１６】
DSP２６は、S/H回路２５でサンプリングした信号をデジタル化して、表示部３０にデジタルビデオ信号を出力し、その処理画像の中央部枠の輝度を積分した輝度積分値信号を露光データ記憶部２７へ出力する。
【００１７】
露光データ記憶部２７は、DSP２６からの輝度積分値信号に対応した最適なシャッタースピードを、短時間のものと長時間のもの（例えば1/60秒と1/100秒）と組みで記憶しており、DSP２６からの輝度積分値信号に応じてそれぞれ別の信号ラインで出力する。
【００１８】
スイッチャー２８は、AND回路５０からの切替信号によって、スイッチングして露光データ記憶部２７からの短時間のシャッタースピード信号と長時間のシャッタースピードのいずれかをDSP２６へ出力するスイッチング状態と、短時間のシャッタースピードのみを出力する状態を有する。
【００１９】
AND回路５０は、コンパレータ５１からの出力とDSP２６からの奇数、偶数フィールド切替信号をAND処理し、その結果をスイッチャー２８に出力する。
【００２０】
コンパレータ５１は、DSP２６からの長時間露光データが設定値以上の場合に１を示すデータを出力する。
表示部３０は、LCD３１（液晶表示装置に相当する）の画像を車のフロントガラスＣ１に投影して虚像で表示を行なう。
【００２１】
実施例１は、車Ｃに撮影装置を設けたものであり、車のルーフＣ２上に近赤外線投光器２２を設け、車のライトＣ３に対物レンズ２３、CCD２４を設けており、車のインストルメントパネル内部にLCD３１を設けて画像をフロントガラスＣ１に表示する。
【００２２】
次に、作用を説明する。
［画像を鮮明化する作用］
(a)夜間や昼間でも比較的暗い場合
撮影の対象となる物の像は、対物レンズ２３から装置内部に取り込まれ、CCD２４により画像データ信号となる。これをS/H回路２５でサンプリングし、DSP２６でデジタル信号にして、LCD３１ではそのデジタル信号に基づいて画像が表示される。
この際に、近赤外線投光器２２から投光され、撮影対象で反射された光は、撮影対象の形状等によって強く反射された場合、暗いため、露光時間を長くしているので、CCD２４で捉える画像の輝度が非常に高くなってしまうことがある。
また、単に露光時間を短くしたのでは、CCD２４で捉える画像の輝度が低くなり、暗い画像になってしまう。
【００２３】
本実施例１では、CCD２４で撮像した画像の輝度をDSP２６で積分し、輝度積分値を露光データ記憶部２７に出力する。
この輝度が高くなる場合には、露光データ記憶部２７で輝度積分値に応じた長時間露光データ（長いシャッタースピード）と短時間露光データ（短いシャッタースピード）が出力される。
コンパレータ５１では、長時間露光データと設定値を比較し、長時間露光データが図２に示すように所定値より長い、つまり暗い撮影であるこの場合には、「１」を示すデータを出力する。
【００２４】
AND回路５０では、コンパレータ５１からの出力が「１」を示すデータで、DSP２６からの奇数、偶数フィールド切替信号があるこの場合に、ONを示すデータを出力し、スイッチャー２８は、DSP２６からの切替信号に基づき長いシャッタースピードと短いシャッタースピードを切替える。
また、この場合にはコンパレータ５１からの「１」を示す出力で、近赤外線投光器２２が投光する。
これにより、投光で明るい画像にし、且つ２つのシャッタースピードで得られた画像を処理することにより、見やすい画像を得ることができる。
【００２５】
(b)昼間のように明るい場合
昼間のように明るい場合には、輝度積分値が低くなることから、露光データ記憶部２７から出力される長時間露出データは比較的短いものとなる。長時間露出データが短くなり、設定値より小さくなると、図２に示すようにコンパレータ５１からの出力は「０」を示すデータとなる。
コンパレータ５１からの出力が「０」を示すデータになると、AND回路５０の判断が非成立となる。
この場合には、スイッチャー２８は、短時間露光データ（短いシャッタースピード）のみをDSP２６に送るようにする。
【００２６】
また、コンパレータ５１からの出力が「０」を示すため、近赤外線投光器２２は投光を行なわない。
昼間のように明るい場合には、近赤外線投光器２２の投光を行なわず、短いシャッタースピードのみにするため、白っぽい画像になりすぎるのを防ぐことができる。
【００２７】
次に、効果を説明する。
実施例１の撮影装置にあっては、下記に列挙する効果を得ることができる。
(1)CCD２４と、CCD２４の出力側に接続され、撮影された被写体のフィールド毎の映像の輝度を積分し、輝度積分値を出力する機能と偶数フィールドと奇数フィールドとの映像信号を順次出力する機能とを備えたDSP２６と、DSP２６の出力に接続されているLCD３１と、被写体の輝度に対応する最適のシャッタースピードの組合せが複数組記憶されており、DSP２６の輝度積分値により最適のシャッタースピードの組合せが選択されて、それに応じた長時間露光データと短時間露光データを出力する露光データ記憶部２７と、露光データ記憶部２７の出力に接続され、長時間露光データと前記短時間露光データとに応じたシャッタースピードをDSP２６に入力するスイッチャー２８と、露光データ記憶部２７の出力に接続された長時間露光データと設定値を比較するコンパレータ５１と、コンパレータ５１の出力により点灯、消灯する近赤外投光器２２と、コンパレータ５１の出力とDSP２６の偶数フィールドと奇数フィールドとの映像信号を順次出力する切替信号とを選択してスイッチャー２８を制御するAND回路５０を設けたため、長時間露光のシャッタ時間が任意の設定値以下になった場合、通常の1重露光に切り替えることにより昼間でも鮮明に見える画面にすることができる。
【００２８】
(2)コンパレータ５１は、設定値と長時間露光データを比較し、設定値の明るさより長時間露光データが長い露光を示す場合には、AND回路５０へ１(ON)を示すデータを出力し、設定値の明るさより短時間露光データが短い露光を示す場合には、AND回路５０へ０(OFF)を示すデータを出力し、AND回路５０は、コンパレータ５１からONを示すデータを受け取るとスイッチャー２８に長いシャッタースピードと短いシャッタースピードを切替させ、コンパレータ５１からOFFを示すデータを受け取るとスイッチャー２８に短いシャッタースピードのみを出力させるため、コストを抑制した構成によって、長時間露光のシャッタ時間が任意の設定値以下になった場合、通常の1重露光に切り替えることにより昼間でも鮮明に見える画面にすることができる。
【００２９】
以上、本発明の撮影装置を実施例１に基づき説明してきたが、具体的な構成については、これらの実施例に限られるものではなく、特許請求の範囲の各請求項に係る発明の要旨を逸脱しない限り、設計の変更や追加等は許容される。
例えば、実施例１では、コンパレータ５１の入力に長時間露光データを入力したが、短時間露光データを入力してもよい。また、輝度積分値を用いてもよい。
コンパレータ５１の設定値について、設定値より上か下かで動作を切替えているが設定値を２つ設け、ヒステリシスを付けて判断してもよい。
【図面の簡単な説明】
【００３０】
【図１】実施例１の撮影装置のブロック回路図である。
【図２】実施例１の撮影装置の長時間露光データの信号とシャッタースピード、赤外線投光器のタイムチャートである。
【図３】実施例１の撮影装置を車両に取り付けた状態を示す説明図である。
【符号の説明】
【００３１】
２０  撮影カメラ
２２  近赤外線投光器
２３  対物レンズ
２４  CCD
２５  S/H回路
２６  DSP
２７  露光データ記憶部
２８  スイッチャー
３０  表示部
３１  LCD
３２  フロントガラス
５０  AND回路
５１  コンパレータ
Ｃ  車
Ｃ１  フロントガラス
Ｃ２  ルーフ
Ｃ３  ライト
【図１】
2005295340.tif 000003
【図２】
2005295340.tif 000004
【図３】
2005295340.tif 000005